(57)【要約】【課題】事前に観察条件などのデータを収集することなく、媒体を精度よく確認することが可能な情報記録媒体および媒体検証方法を提供する。【解決手段】情報記録媒体１０は、基材１２と、基材の上にそれぞれ回折格子で形成された複数のパターン情報であって、少なくとも２個以上の同一パターン情報２０ａ、２０ｂを含む複数のパターン情報と、同一パターン情報の内の１つのパターン情報２０ｂを覆って基材上に形成され、可視光波長範囲の光を吸収あるいは反射し、可視光波長以外の波長の光を透過する隠蔽層２２と、を備えている。【選択図】    図１
2011003093.tif 000002
【特許請求の範囲】
【請求項１】
基材と、
前記基材の上にそれぞれ回折格子で形成された複数のパターン情報であって、少なくとも２個以上の同一パターン情報を含む複数のパターン情報と、
前記同一パターン情報の内の１つのパターン情報を覆って前記基材上に形成され、可視光波長範囲の光を吸収あるいは反射し、可視光波長以外の波長の光を透過する隠蔽層と、
を備える情報記録媒体。
【請求項２】
前記隠蔽層は、赤外波長帯域の光を透過する請求項１に記載の情報記録媒体。
【請求項３】
前記同一のパターン情報は、同一の向きで並んで設けられている請求項１に記載の情報記録媒体。
【請求項４】
前記隠蔽層は、前記隠蔽されるパターン情報全体を覆うシート状に形成されている請求項１に記載の情報記録媒体。
【請求項５】
前記隠蔽層は、隠蔽されるパターン情報と同じ形状を有し、このパターン情報に重ねて設けられている請求項１に記載の情報記録媒体。
【請求項６】
請求項１ないし５のいずれか１項に記載の情報記録媒体を検証する検証方法であって、
前記情報記録媒体に対して、前記隠蔽層を透過する波長の光を特定の方向から情報記録媒体に照射し、
前記複数のパターン情報からの回折光を受光して撮像し、
前記隠蔽層で覆われたパターン情報の像と、前記隠蔽層で覆われていない同一パターン情報の画像とが同一であるか否かを比較して、前記情報記録媒体を検証する媒体検証方法。
【請求項７】
前記情報記録媒体を可視光環境下で、前記隠蔽層で覆われていない領域に、前記パターン情報が目視できるか否か検証し、更に、前記同一パターン情報が前記隠蔽層で隠されていることを確認する請求項６に記載の媒体検証方法。
【請求項８】
赤外光波長帯域の光を照射し、特定の方向から前記情報記録媒体に照射し、前記複数のパターン情報からの回折光を受光して撮像する請求項６に記載の媒体検証方法。
【発明の詳細な説明】
【技術分野】
【０００１】
本発明は、免許証、クレジットカード、会員証などの個人認証用媒体として使用可能な情報記録媒体、および、この情報記録媒体を検証する媒体検証方法に関する。
【背景技術】
【０００２】
ホログラムは、免許証、クレジットカード、会員証などの個人認証用媒体の偽変造防止アイテムの１つとして採用されている。ホログラム供給メーカは、基本構造である回折格子と反射膜などに工夫を凝らすことで、意匠性が高いだけでなくセキュリティ性の高いホログラムの提供に努めている。
【０００３】
ホログラムのセキュリティ性は製造の困難度を根拠にしているが、市販のホログラムキットなどを利用することにより、正確な複製でなければ作製することは難しくない。また、ホログラムは照明の種別、方向、観察方向の組合せなどによりパターン、色調、強度が変化するため、観察環境を同一にしなければ真偽の比較が難しい。
【０００４】
近年、偽変造防止アイテムとしてホログラムを有する情報記録媒体でも偽造品が現れている。ホログラムの確認は主に目視確認によって行われている。そのため、正確な複製でなくても観察条件によるばらつきなどを考慮すると、本物であると識別されてしまう可能性が高い。したがって、より精度良く、簡単に目視比較を行う方法が求められている。
【０００５】
精度良くホログラムを比較する方法として、予め一定の観察条件でホログラムの画像を取得・保存しておき、該当するホログラム媒体を検査する際、保存しておいた一定の観察条件で観察を行い、取得・保存していた取得画像と比較する方法が開示されている（例えば、特許文献１）。
【先行技術文献】
【特許文献】
【０００６】
【特許文献１】特許第３７２２０７３号
【発明の開示】
【発明が解決しようとする課題】
【０００７】
しかしながら、このような方法では、一定の観察環境下での比較画像を提供することにより、目視確認の精度を高める効果があるが、この方法は、既知のホログラムに対してのみ有効であり、未知のホログラムに対して適用することができないという問題がある。
【０００８】
この発明は、上記事情に鑑みなされたもので、その目的は、事前に観察条件などのデータを収集することなく、媒体を精度よく確認することが可能な情報記録媒体および媒体検証方法を提供することにある。
【課題を解決するための手段】
【０００９】
この発明の態様によれば、情報記録媒体は、基材と、前記基材の上にそれぞれ回折格子で形成された複数のパターン情報であって、少なくとも２個以上の同一パターン情報を含む複数のパターン情報と、前記同一パターン情報の内の１つのパターン情報を覆って前記基材上に形成され、可視光波長範囲の光を吸収あるいは反射し、可視光波長以外の波長の光を透過する隠蔽層と、を備えている。
【００１０】
この発明の他の態様に係る媒体検証方法は、前記情報記録媒体に対して、隠蔽層を透過する波長の光を特定の方向から情報記録媒体に照射し、前記複数のパターン情報からの回折光を受光して撮像し、前記隠蔽層で覆われたパターン情報の画像と、前記隠蔽層で覆われていない同一パターン情報の画像とが同一であるか否かを比較して、前記情報記録媒体を検証することを特徴としている。
【発明の効果】
【００１１】
上記構成によれば、媒体内に比較対象となるパターン情報が隠されているため、事前に観察条件などのデータを収集することなく、媒体を精度よく確認することが可能な情報記録媒体および媒体検証方法を提供することができる。
【図面の簡単な説明】
【００１２】
【図１】図１は、この発明の第１の実施形態に係るＩＤカードを示す平面図。
【図２】図２は、回折格子で構成される第１パターン情報の構造を示す図１の線Ａ−Ａに沿った断面図。
【図３】図３は、回折格子で構成される第２パターン情報の構造を示す図１の線Ｂ−Ｂに沿った断面図。
【図４】図４は、可視光環境下での観測される第１および第２パターンの画像を示す平面図。
【図５】図５は、この発明の実施形態に係る媒体検証装置を概略的に示す図。
【図６】図６は、赤外波長環境下で前記ＩＤカードから取得した画像を示す平面図。
【図７】図７は、前記ＩＤカードにおける隠蔽層が可視光を反射する特性を有する場合に観察される画像を示す平面図。
【図８】図８は、この発明の他の実施形態に係るＩＤカードの検証領域を示す平面図。
【図９】図９は、図８の線Ｃ−Ｃに沿った前記ＩＤカードの断面図。
【発明を実施するための形態】
【００１３】
以下、図面を参照しながら、この発明の実施形態に係る情報記録媒体および媒体検証装置について詳細に説明する。  
図１は、第１の実施形態に係るＩＤカードを示し、図２は、回折格子で構成される第１パターン情報の構造を示す平面図および断面図、図３は、回折格子で構成される第２パターン情報の構造を示す平面図および断面図である。
【００１４】
図１に示すように、ＩＤカード１０は、合成樹脂等により矩形のカード状に形成された基材１２を有している。基材１２の一方の表面上には、ＩＤカードの所持人のカラー顔画像１４、所持人の氏名、生年月日等の個人情報、ＩＤ番号などの文字情報１６が印刷されている。カラー顔画像１４は、昇華型熱転写記録方式、インクジェット方式など種々の記録方式で形成可能であり、本実施形態では、昇華型熱転写方式で形成されている。文字情報１６は溶融型熱転写方式、インクジェット記録方式など種々の記録方式で形成可能であり、本実施形態では溶融型熱転写方式で形成されている。
【００１５】
基材１２の表面にはパターン情報を検証するホログラム検証領域１８が設けられている。ホログラム検証領域１８には、それぞれ回折格子で形成された複数のパターン情報、つまり、複数のホログラムが設けられている。本実施形態において、ホログラム検証領域１８には、第１パターン情報２０ａおよび第２パターン情報２０ｂの２つのホログラムが設けられている。
【００１６】
第１および第２パターン情報２０ａ、２０ｂは、同一パターンに形成され、例えば、「ＨＡＮＡＫＯ」となっている。すなわち、検証領域１８には、同一パターンのホログラムが２つ設けられている。一方のパターン情報、ここでは、第２パターン情報２０ｂは、可視光波長領域の光を吸収し、赤外波長領域の光を透過する材料で構成される隠蔽層２２により覆われ、隠されている。
【００１７】
図２に示すように、ホログラム検証領域１８において、基材１２上に接着層２４、回折格子で形成された第１パターン情報「ＨＡＮＡＫＯ」２０ａを形成するレリーフ層２６が順に積層されている。この層構成を有する媒体に対し、ホログラムパターンの回折角に合致するような照明と観察角度にて観察することにより、回折格子で形成された第１パターン情報「ＨＡＮＡＫＯ」を観察することができる。
【００１８】
図３に示すように、ホログラム検証領域１８において、基材１２上に接着層２４、回折格子で形成された第２パターン情報「ＨＡＮＡＫＯ」２０ｂを形成するレリーフ層２６が順に積層され、さらに、隠蔽層２２が第２パターン情報に重ねて積層されている。隠蔽層２２は、可視光波長範囲で８００ｎｍ以下の光を吸収し、それ以上の波長の光を透過する特性を有している。また、隠蔽層２２は、赤外波長帯域の光、例えば、７００〜１１００ｎｍの範囲、あるいは、１１００ｎｍ以上の赤外波長帯域の光を透過する特性を有している。
【００１９】
上記のように構成されたＩＤカード１０のホログラム検証領域１８を可視光下で観察した場合、図４に示すように、第１パターン情報２０ａは目視確認可能であるが、第２パターン情報２０ｂを覆っている隠蔽層２２は、可視光に対して吸収特性を示すため「黒」として見え、その下にある第２パターン情報「ＨＡＮＡＫＯ」２０ｂを目視確認することはできない。
【００２０】
次に、上記構成のＩＤカード１０の真偽を検証する媒体検証装置について説明する。  
図５に示すように、媒体検証装置は、ＩＤカード１０のホログラム検証領域１８に特定の方向から赤外光を照射する照明部３２と、第１および第２パターン情報からの回折光を捉える位置に設置され、回折赤外光を受光し撮像する撮像装置３４と、撮像装置３４によって撮像された画像を表示する像を表示する表示装置３６と、を備えている。照明部３２としては、例えば、波長９００ｎｍの赤外光を照射するＬＥＤを用い、撮像装置３４としては、上記波長に対して感度のあるＣＣＤカメラを用いる。
【００２１】
図６は、前記媒体検証装置により取得したホログラム検証領域１８の画像を示している。照明部３２によってホログラム検証領域１８の隠蔽層２２のない部分に照射された赤外光は、波長、入射角度で第１パターン情報２０ａを構成する回折格子に入射し、波長、入射角度、回折格子の仕様で決まる方向に回折され、その方向にある撮像装置３４にて撮像される。撮像された第１パターン情報２０ａの画像は表示装置３６に表示される（図６上の「ＨＡＮＡＫＯ」）。
【００２２】
また、照明部３２によってホログラム検証領域１８の隠蔽層２２部分に照射された赤外光は、隠蔽層２２を透過し、第２パターン情報２０ｂを構成する回折格子に所定の入射角度で入射する。入射した赤外光は、波長、入射角、回折格子の仕様で決まる方向に回折され、その方向にある撮像装置３４にて撮像される。撮像された第２パターン情報２０ｂの画像はモニタに表示される（図６下の「ＨＡＮＡＫＯ」）。つまり、第１パターン情報２０ａおよび第２パターン情報２０ｂから、同じ形状および同じ向きの「ＨＡＮＡＫＯ」の画像が得られる。
【００２３】
検証者は可視環境下で、図４に示すように、第１パターン情報２０ａ「ＨＡＮＡＫＯ」が隠蔽層２２以外の領域で見えること、媒体検証装置で取得した画像を表示装置３６上で確認したとき、図６に示すように、第２パターン情報２０ｂ「ＨＡＮＡＫＯ」が隠蔽層２２の下にも見えること、更に、第１および第２パターン情報が同一であるか比較すること、でＩＤカード１０の真偽の検証を行う。
【００２４】
以上のように構成されたＩＤカードおよび媒体検証装置によれば、真偽の比較対象となるパターン情報が媒体内に予め隠蔽されているため、事前に観察条件などのデータを収集する必要がなく、ＩＤカード単体を容易に検証することが可能となる。また、比較対象があるため、目視確認での検証精度を高めることができる。
【００２５】
上述した実施形態において、隠蔽層２２は、可視光を吸収する特性を有するものとしたが、可視光波長範囲で光を反射し、赤外波長帯域の光を透過する特性を有する層としてもよい。この場合、ＩＤカード１０のホログラム検証領域１８を可視光で観察すると、図７に示す画像が得られる。第１パターン情報２０ａは確認できるが、第２パターン情報２０ｂは隠蔽層２２が上層にあり確認することはできない。隠蔽層２２は、可視光に対して反射特性を示すため、「白」として確認され、その下にある第２パターン情報２０ｂ「ＨＡＮＡＫＯ」を確認することはできない。媒体検証装置により、ホログラム検証領域１８に赤外光を照射することにより、この赤外光は隠蔽層２２を透過して第２パターン情報２０ｂを構成する回折格子に入射する。これにより、第１および第２パターン情報が確認される。
【００２６】
第２パターン情報を隠蔽する隠蔽層２２は、矩形のシート状に限らず、他の形状としてもよい。隠蔽層２２は、その下にある第２パターン情報（ホログラム）が隠れればよく、図８および図９に示すように、隠蔽層２２を第２パターン情報と同一形状とし、第２パターン情報に重ねて設けるようにしてもよい。
【００２７】
この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、情報記録媒体は、ＩＤカードに限らず、免許証、クレジットカードなどの他の個人認証用媒体、あるいは、貯金通帳等の冊子体としてもよい。記録媒体に形成される回折格子のパターン情報は、２つに限らず、３つ以上設けられていてもよく、少なくとも２つが同一のパターン情報からなり、その内の１つが隠蔽層で隠蔽されていればよい。第１および第２パターン情報は、並んで設けることなく、互いに離間してもうけてもよい。情報記録媒体の各構成部材の形状、寸法、材質等は、前述した実施形態に限定されることなく、必要に応じて、変更可能である。
【符号の説明】
【００２８】
１０…ＩＤカード、１２…基材、１４…顔画像、１６…文字情報、
１８…ホログラム検証領域、２０ａ…第１パターン情報、２０ｂ…第２パターン情報、
２２…隠蔽層、３２…照明部、３４…撮像装置、３６…表示装置
【図１】
2011003093.tif 000003
【図２】
2011003093.tif 000004
【図３】
2011003093.tif 000005
【図４】
2011003093.tif 000006
【図５】
2011003093.tif 000007
【図６】
2011003093.tif 000008
【図７】
2011003093.tif 000009
【図８】
2011003093.tif 000010
【図９】
2011003093.tif 000011